(57)【要約】【課題】経腸栄養療法用カテーテルと、それ専用の医療用回路との間の、強固な接続及び接続解除を容易とし、且つ、経腸栄養療法用カテーテルと各種のオスコネクタとの接続も可能とする、接続構造等を提供する。【解決手段】医療用回路の移送チューブ４１の一方の端部に接続され、経腸栄養療法用カテーテルのチューブ５１に挿入される挿入部２１と、チューブとの接続状態を保持するための第１接続部とを備えたオスコネクタ２と、チューブの一方の端部の外周面に固定又は一体成形され、第１接続部と接続可能な第２接続部を含む接続部材３と、を含み、チューブのうちの、接続部材とチューブの軸方向同位置の部分Ａにおいて、チューブの周方向に沿った一部の領域５１１ａを残して、接続部材３がチューブ５１の外周面に固定又は一体成形されている。【選択図】図３
2013212135.tif 000002
【特許請求の範囲】
【請求項１】
チューブを含む経腸栄養療法用カテーテルと、液状物を前記経腸栄養療法用カテーテルへ移送するための移送チューブを含む医療用回路との接続構造であって、
前記移送チューブの一方の端部に接続され、前記チューブに挿入される挿入部と、前記チューブとの接続状態を保持するための第１接続部とを備えたオスコネクタと、
前記チューブの一方の端部の外周面に固定又は一体成形され、前記第１接続部と接続可能な第２接続部を含む接続部材と、を含み、
前記チューブのうちの、前記接続部材と前記チューブの軸方向同位置の部分において、前記チューブの周方向に沿った一部の領域を残して、前記接続部材が前記チューブの外周面に固定又は一体成形されている、前記経腸栄養療法用カテーテルと前記医療用回路との接続構造。
【請求項２】
前記接続部材は周方向に沿って複数に分割されており、
前記チューブは、前記接続部材と前記チューブの軸方向同位置の部分において、前記接続部材が固定及び一体成形されていない前記領域を複数有している、請求項１に記載の前記経腸栄養療法用カテーテルと前記医療用回路との接続構造。
【請求項３】
前記オスコネクタは、
前記挿入体の周囲に配置された環状壁と、
前記環状壁の前記挿入部と向かい合う面に形成された雌ネジを前記第１接続部として含み、
前記接続部材は、
前記チューブの中心軸方向に沿って見た形状が弧状の基礎部と、
前記基礎部の外周面に形成され前記雌ネジと螺合可能な雄ネジを前記第２接続部として含む、請求項１又は２に記載の前記経腸栄養療法用カテーテルと前記医療用回路との接続構造。
【請求項４】
前記オスコネクタは、
互いに対向する鉤部を前記第１接続部として各々含み前記挿入体を挟むように前記挿入体の軸方向に沿って延在した１対の揺動体と、
前記１対の揺動体同士を前記鉤部よりも上側で連結する架橋部と、を含み、
前記架橋部は、前記１対の揺動体のうちの前記架橋部よりも上側部分に相互に接近させる向きの押圧力を加えると弾性変形し、
前記接続部材は、
前記チューブの中心軸方向に沿って見た形状が弧状であり前記鉤部と係止可能な弧状係止突起と、
前記弧状係止突起から下方に向かって突出しており前記弧状係止突起に係止された前記鉤部の周方向の移動を規制する規制突起と、を含む、
請求項１又は２に記載の前記経腸栄養療法用カテーテルと前記医療用回路との接続構造。
【請求項５】
液状物を移送するための移送チューブを含む医療用回路に接続され、チューブを含む経腸栄養療法用カテーテルであって、
前記医療用回路は、
前記移送チューブの一方の端部に接続され、前記チューブに挿入される挿入部と、前記チューブとの接続状態を保持するための第１接続部とを備えたオスコネクタを含み、
前記経腸栄養療法用カテーテルは、
前記チューブの一方の端部の外周面に固定又は一体成形され、前記第１接続部と接続可能な第２接続部を含む接続部材を含み、
前記チューブのうちの、前記接続部材と前記チューブの軸方向同位置の部分において、前記チューブの周方向に沿った一部の領域を残して、前記接続部材が前記チューブの外周面に固定又は一体成形されている、経腸栄養療法用カテーテル。
【請求項６】
前記接続部材は周方向に沿って複数に分割されており、
前記チューブは、前記接続部材と前記チューブの軸方向同位置の部分において、前記接続部材が固定又は一体成形されていない前記領域を複数有している、請求項５に記載の経腸栄養療法用カテーテル。
【請求項７】
前記オスコネクタは、
前記挿入体の周囲に配置された環状壁と、
前記環状壁の前記挿入部と向かい合う面に形成された雌ネジを前記第１接続部として含み、
前記接続部材は、
前記チューブの中心軸方向に沿って見た形状が弧状の基礎部と、
前記基礎部の外周面に形成され前記雌ネジと螺合可能な雄ネジを前記第２接続部として含む、請求項５又は６に記載の経腸栄養療法用カテーテル。
【請求項８】
前記オスコネクタは、
互いに対向する鉤部を前記第１接続部として各々含み前記挿入体を挟むように前記挿入体の軸方向に沿って延在した１対の揺動体と、
前記１対の揺動体同士を前記鉤部よりも上側で連結する架橋部と、を含み、
前記架橋部は、前記１対の揺動体のうちの前記架橋部よりも上側部分に相互に接近させる向きの押圧力を加えると弾性変形し、
前記接続部材は、
前記チューブの中心軸方向に沿って見た形状が弧状であり前記鉤部と係止可能な弧状係止突起と、
前記弧状係止突起から下方に向かって突出しており前記弧状係止突起に係止された前記鉤部の周方向の移動を規制する規制突起と、を含む、請求項５又は６に記載の経腸栄養療法用カテーテル。
【発明の詳細な説明】
【技術分野】
【０００１】
本発明は、経鼻カテーテル、ＰＥＧ（Percutaneous Endoscopic Gastrostomy）カテーテル、ＰＴＥＧ（Percutaneus Trans Esophageal Gastro-tubing）カテーテル等の経腸栄養療法用カテーテルと、該経腸栄養療法用カテーテルと医療用回路との接続構造に関する。
【背景技術】
【０００２】
食道や口腔等の外傷、疾患、又は手術等によって食物を口腔から胃に送り込むことが困難となった患者に栄養剤、流動食、又は薬剤など（一般に「経腸栄養剤」と呼ばれる。以下、「液状物」と称する。）を投与する方法として経腸栄養療法が知られている。経腸栄養療法では、液状物を患者の体内に送り込むために可撓性を有するチューブ（一般に「経腸栄養療法用カテーテル」と呼ばれる。）が用いられる。経腸栄養療法に用いられるカテーテルとしては、カテーテルの挿入経路によって、患者の鼻腔を通って胃又は十二指腸にまで挿入される経鼻カテーテル、患者の腹に形成された胃ろうを通って胃内に挿入されるＰＥＧカテーテル（例えば、特許文献１参照）、患者の首の付け根に形成された穴を通って胃にまで挿入されるＰＴＥＧカテーテル等が知られている。経腸栄養療法を行う際には、カテーテルの一方の端部を患者の体内に挿入し、他方の端部に、液状物が充填された容器（例えばパウチ等）内の当該液状物を移送するための移送チューブに接続されたオスコネクタを挿入し、カテーテルと移送チューブとを、オスコネクタを介して接続する必要がある。
【先行技術文献】
【特許文献】
【０００３】
【特許文献１】特開平０３−１８３７８号公報
【発明の概要】
【発明が解決しようとする課題】
【０００４】
ところで、経腸栄養療法に用いられる液状物の粘度が低いと、胃内の液状物が食道に逆流して肺炎を併発したり、液状物の水分が体内で吸収しきれずに下痢したりする等の問題がある。この問題を防止するために、半固形化したり、トロミ剤や増粘剤を加えたりすることで粘度を高めた液状物が用いられることが多い。
【０００５】
このような高粘度の液状物を患者の体内に送るために、注入器（シリンジ）や液状物を充填した容器を圧縮するための装置などを用いて、液状物に圧力が加えられることがある。この際、液状物に加えられた圧力によって、患者の体内に挿入されたカテーテルとこれに接続されたオスコネクタとが外れてしまう場合があるという問題があった。このカテーテルとオスコネクタとの分離の問題は、液状物を圧送する場合に限らず、例えばカテーテルとオスコネクタとの接続部分に作業者が意図せずに外力を加えてしまった場合などにも発生することがあった。
【０００６】
更に、経腸栄養療法用カテーテルに挿入されるオスコネクタは、その形状や寸法に関して標準となる規格が存在するが、許容される誤差範囲は広い。そのため、経腸栄養療法用カテーテルは、形状や寸法が異なる各種のオスコネクタを接続可能とするために、挿入されるオスコネクタに相応して変形可能であることが望まれる。
【０００７】
本発明は、上記の従来の問題を解決し、経腸栄養療法用カテーテルと、それ専用の医療用回路との間の、強固な接続及び接続解除を容易とし、且つ、経腸栄養療法用カテーテルと各種のオスコネクタとの接続も可能とする、経腸栄養療法用カテーテルと医療用回路との接続構造、および当該接続構造を構成する経腸栄養療法用カテーテルを提供する。
【課題を解決するための手段】
【０００８】
本発明の経腸栄養療法用カテーテルと医療用回路との接続構造は、
チューブを含む経腸栄養療法用カテーテルと、液状物を前記経腸栄養療法用カテーテルへ移送するための移送チューブを含む医療用回路との接続構造であって、
前記移送チューブの一方の端部に接続され、前記チューブに挿入される挿入部と、前記チューブとの接続状態を保持するための第１接続部とを備えたオスコネクタと、
前記チューブの一方の端部の外周面に固定又は一体成形され、前記第１接続部と接続可能な第２接続部を含む接続部材と、を含み、
前記チューブのうちの、前記接続部材と前記チューブの軸方向同位置の部分において、前記チューブの周方向に沿った一部の領域を残して、前記接続部材が前記チューブの外周面に固定又は一体成形されている。
【０００９】
本発明の経腸栄養療法用カテーテルは、
液状物を移送するための移送チューブを含む医療用回路に接続され、チューブを含む経腸栄養療法用カテーテルであって、
前記医療用回路は、
前記移送チューブの一方の端部に接続され、前記チューブに挿入される挿入部と、前記チューブとの接続状態を保持するための第１接続部とを備えたオスコネクタを含み、
前記経腸栄養療法用カテーテルは、
前記チューブの一方の端部の外周面に固定又は一体成形され、前記第１接続部と接続可能な第２接続部を含む接続部材を含み、
前記チューブのうちの、前記接続部材と前記チューブの軸方向同位置の部分において、前記チューブの周方向に沿った一部の領域を残して、前記接続部材が前記チューブの外周面に固定又は一体成形されている。
【発明の効果】
【００１０】
本発明では、オスコネクタの挿入体をチューブに押し込むことに加えて、第１接続部と第２接続部とを接続させることにより、医療用回路と経腸栄養療法用カテーテルとの接続を行う。そのため、医療用回路と経腸栄養療法用カテーテルとの強固な接続及び接続解除が容易に行われる。
【００１１】
更に、本発明では、チューブのうちの、接続部材とチューブの軸方向同位置の部分において、チューブの外周面の周方向に沿った一部の領域を残して、接続部材がチューブの外周面に固定又は一体成形されている。即ち、チューブは、挿入される物の形状等に相応して変形可能である。故に、チューブに、形状や寸法が異なる各種のオスコネクタ（例えば、専用のオスコネクタの挿入部より外径の大きい挿入部を備えた他のオスコネクタ）を、回転力を加えながらねじ込むことにより接続することもできる。
【図面の簡単な説明】
【００１２】
【図１】図１は、本発明の経腸栄養療法用カテーテルと経腸栄養投与セットとの接続構造を含む接続部位を説明する概念図である。
【図２】図２は、図１に示された接続部位の拡大図である。
【図３】図３は、図２に示した接続部位の正面図である。
【図４】図４Ａは、図２に示した接続部位の側面図であり、図４Ｂは、図４Ａを矢印ＩＶに沿って見た断面図である。
【図５】図５は、図２に示した接続部位のオスコネクタと接続部材とが接続された状態を示した斜視図である。
【図６】図６Ａは、図５に示した接続部位の側面図であり、図６Ｂは、図６Ａを矢印ＶＩに沿って見た断面図である。
【図７】図７は、図２に示した経腸栄養療法用カテーテルの上面図である。ただし、図７においてバンパーは省略している。
【図８】図８は、図４Ｂに示した経腸栄養療法用カテーテルの部分拡大図である。
【図９】図９は、経腸栄養療法用カテーテルと経腸栄養投与セットとの他の接続構造を含む接続部位を説明する斜視図である。
【図１０】図１０は、図９に示した接続部位の正面図である。
【図１１】図１１Ａは、図１０に示した接続部位の側面図であり、図１１Ｂは、図１１Ａを矢印Ｘに沿って見た断面図である。
【図１２】図１２は、図９に示した接続部位のオスコネクタと接続部材とが接続された状態を示した斜視図である。
【図１３】図１３は、図１２に示した正面図である。
【図１４】図１４Ａは、図１３に示した接続部位の側面図であり、図１４Ｂは、図１４Ａを矢印Ｙに沿って見た断面図である。
【図１５】図１５は、図１０に示した経腸栄養療法用カテーテルの上面図である。ただし、図１５においてバンパーは省略している。
【図１６】図１６は、図１１Ｂに示した経腸栄養療法用カテーテルの部分拡大図である。
【図１７】図１７は、図１に示した経腸栄養療法用カテーテルの斜視図である。
【図１８】図１８は、図１７に示した経腸栄養療法用カテーテルの断面図である。ただし、図１８においてバンパーは省略している。
【発明を実施するための形態】
【００１３】
上記の本発明の経腸栄養療法用カテーテルと医療用回路との接続構造（以下、「本発明の接続構造」または「接続構造」と略称する場合もある。）の一例及び本発明の経腸栄養療法用カテーテル（以下、「本発明のカテーテル」または「カテーテル」と略称する場合もある。）において、接続部材はチューブの周方向に沿って複数に分割されており、チューブは、接続部材とチューブの軸方向同位置の部分において、接続部材が固定又は一体成形されていない領域を複数有していると好ましい。この場合、挿入体が挿入されることにより、チューブが半径方向に延伸（拡径）し易くなるので、形状や寸法が異なる各種のオスコネクタの選択肢が広がるため、好ましい。
【００１４】
本発明の接続構造の一例及び本発明のカテーテル一例において、オスコネクタは、挿入体の周囲に配置された環状壁と、環状壁の挿入部と向かい合う面に形成された雌ネジを第１接続部として含み、接続部材は、チューブの中心軸方向に沿って見た形状が弧状の基礎部と、基礎部の外周面に形成された雄ネジを第２接続部として含むと好ましい。この場合、第１接続部と第２接続部とが螺合により接続されるので、オスコネクタの挿入体をチューブに押し込むことのみによって医療用回路と経腸栄養療法用カテーテルとを接続する従来の接続構造のオスコネクタよりも、外径が小さい挿入体を含むオスコネクタを、摩擦力の低減を目的として使用できる。故に、この接続構造の一例及びカテーテル一例は、医療用回路と経腸栄養療法用カテーテルとの強固な接続及び接続解除が容易に行え、好ましい。
【００１５】
本発明の接続構造の一例及び本発明のカテーテル一例において、オスコネクタは、互いに対向する鉤部を第１接続部として各々含み挿入体を挟むように挿入体の軸方向に沿って延在した１対の揺動体と、１対の揺動体同士を前記鉤部よりも上側で連結する架橋部とを含む。そして、架橋部は、１対の揺動体のうちの架橋部よりも上側部分に相互に接近させる向きの押圧力を加えると弾性変形する。接続部材は、チューブの中心軸方向に沿って見た形状が弧状であり上記鉤部と係止可能な弧状係止突起と、弧状係止突起から下方に向かって突出しており弧状係止突起に係止された鉤部の周方向の移動を規制する規制突起と、を含む。この場合、鉤部と弧状係止突起とを相互に係止させることにより、オスコネクタの挿入体がカテーテルのチューブ内面に押し付けられる。故に、この接続構造の一例及びカテーテル一例では、医療用回路と経腸栄養療法用カテーテルとの強固な接続及び接続解除が容易に行え、好ましい。また、この形態は、螺合によりオスコネクタと接続部材とを接続する形態よりも、カテーテルや医療用回路の移送チューブのねじれが起こらないように接続することが容易に行える。
【発明を実施するための最良の形態】
【００１６】
以下、本発明の好適な一例を、図面を用いて説明する。但し、本発明は以下の形態に限定されない。
【００１７】
（実施形態１）
図１は、本実施形態の経腸栄養療法用カテーテル５と経腸栄養投与セット４との接続構造を含む接続部位を説明する概念図である。図２は、図１に示した接続部位１の拡大図であり、図３は、接続部位１の正面図であり、図４Ａは、接続部位１の側面図であり、図４Ｂは、図４Ａを矢印ＩＶに沿って見た断面図である。図５は、図２に示した接続部位１のオスコネクタ２と接続部材３とが接続された状態を示した斜視図であり、図６Ａは図５に示した接続部位１の側面図であり、図６Ｂは図６Ａを矢印ＶＩに沿って見た断面図である。図７は、図１に示した経腸栄養療法用カテーテルの上面図である。ただし、図７においてバンパー５４（図１７参照）は省略している。
【００１８】
図１に示すように、本実施形態１の接続構造を含む接続部位１は、オスコネクタ２とチューブ５１に固定又は一体成形された接続部材３とから構成される。
【００１９】
オスコネクタ２は、経腸栄養投与セット４の構成部品であり、経腸栄養投与セット４の移送チューブ４１の一方の端部（下側（下流側）端部）に接続されている。オスコネクタ２の移送チューブ４１への接続方法は、熱融着、嵌め、接着剤による接着等が挙げられ、これらの方法により、オスコネクタ２は、移送チューブ４１と一体化されており、通常の使用において、移送チューブ４１から分離できない。
【００２０】
経腸栄養投与セット４は、オスコネクタ２と移送チューブ４１と流量調整器４３と点滴筒４４等を含む医療用回路４７の他に、液状物を収容可能とする容器４６とを含む。容器４６は、例えば、容器４６の内外を連通する貫通穴を有した排出用ポート４５を介して移送チューブ４１の他方の端部（上側（上流側）端部）に接続されている。流量調整器４３は、可撓性の移送チューブ４１を押圧して移送チューブ４１内を流れる液状物の流量調整を可能とする。点滴筒４４は、可撓性チューブ４１を流れる液状物の流量を可視化させる。
【００２１】
経腸栄養投与セット４は、図１に示された構成に限定されるものではなく、従来公知の経腸栄養供給セットに含まれる構成部品をさらに含んでいてもよいし、液状物を圧送するための加圧機構などが設けられていても良い。また、医療用回路４７も、図１に示された構成に限定されるものではなく、従来公知の医療用回路に含まれる構成部品をさらに含んでいてもよいし、流量調整器４３及び／又は点滴筒４４がなくてもよい。
【００２２】
接続部材３は、チューブ５１に固定又は一体成形されており、チューブ５１から取り外すことはできない。
【００２３】
まず、オスコクネクタ２について説明する。図２〜図６に示されるように、オスコネクタ２は、挿入部２１と環状壁２２とチューブ接続部２３と１対の把持部２４とを含む。これらは、例えば、オスコネクタ２の材料を用いて共通の金型内で同時に成形しかつ一体化させる、いわゆる一体成形により成形できる。
【００２４】
環状壁２２は、挿入部２１の周囲に配置されており、環状壁２２の挿入部２１と向かい合う面には、第１接続部として雌ネジ２５が形成されている。尚、参照符号１００は、オスコネクタ２の中心軸であり、これはチューブ５１の投与路（第１ルーメン５６、図１８参照）の中心軸でもある。説明の便宜のため、本件明細書において、中心軸１００方向において、投与される液状物の流れの上流側を「上側」、下流側を「下側」と呼ぶ。
【００２５】
オスコネクタ２の挿入部２１は、オスコネクタ２のうちのチューブ５１に挿入される部分である。挿入部２１は、中心軸１００に沿った貫通穴２０２を有し、全体として略中空円筒形状をしている。挿入部２１の外周面には、チューブ接続部２３に近づくほど外径が大きくなるテーパ面（円錐台面）が形成されている。環状壁２２は、挿入部２１の外周面から外方向（例えば、中心軸１００と直交する方向）に突出した渡り部２６を介して挿入部２１に連結され挿入部２１と一体化されている。環状壁２２と挿入部２１との間には、後述するチューブ５１と接続部材３とを収容可能とする空間２７が存在する。
【００２６】
オスコネクタ２のチューブ接続部２３は、経腸栄養投与セット４（図１参照）の医療用回路４７を構成する移送チューブ４１の下側（下流側）端部と接続される部分である。チューブ接続部２３は、中心軸１００に沿った貫通穴２０３を有し、全体として略中空円筒形状をしている。チューブ接続部２３は、挿入部２１の上側に配置されており、渡り部２６を介して挿入部２１および環状壁２２と一体化されており、例えば一体成形されている。貫通穴２０３は、貫通穴２０２と連通している。貫通穴２０３の径は、挿入部２１に形成された貫通穴２０２の上側の径よりも大きいことにより、オスコネクタ２の内周面は移送チューブ４１の下側端面が当接する段差面２３１を含んでいる。チューブ接続部２３に挿入される移送チューブ４１の下側端面が段差面２３１に当接することにより、移送チューブ４１のオスコネクタ２に対する挿入長が制限されている。
【００２７】
チューブ接続部２３の外周面には外方向（例えば、中心軸１００と直交する方向）に突出した１対の把持部２４が形成されている。一対の把持部２４を指で把持した状態で、オスコネクタ２を中心軸１００を中心として回転させれば、オスコネクタ２に回転トルクを印加しやすく、オスコネクタ２をチューブ５１に対して接続又は分離する作業が容易である。
【００２８】
オスコネクタ２の材料は、移送チューブ４１よりも高い剛性と硬度を有する材料であれば特に制限はなく、例えば、ポリエチレン、ポリプロピレン、ポリカーボネート、ポリアセタール、ポリ塩化ビニル（ＰＶＣ）、ポリブタジエン（ＰＢＤ）、ＡＢＳ樹脂等が挙げられるが、移送チューブ４１との接続が容易であるという理由から、ポリカーボネート、ポリ塩化ビニル（ＰＶＣ）、又はＡＢＳ樹脂が好ましい。
【００２９】
カテーテル５の接続部材３以外の部分は、従来から公知のカテーテルと同構成であってもよく、チューブ５１の材料も、従来から公知のカテーテル用チューブと同じ材料、例えば、シリコーンゴム、ポリウレタン等であってもよい。
【００３０】
次に、接続部材３の一例について説明する。図１〜図７に示されるように、接続部材３は、経腸栄養療法用カテーテル５の分岐チューブ５２を備えたチューブ５１（カテーテル本体）の一方の端部（上側端部）５１１の外周面に固定又は一体成形されている。図１〜図７において、５５は逆止弁である。
【００３１】
接続部材３は、チューブ５１の中心軸１００の長手方向に沿って見た形状が弧状の基礎部３１と、基礎部３１の外周面（チューブ５１に接する面の反対面）に形成された雄ネジ３２を第２接続部として含む。基礎部３１は、接続部材３がチューブ５１の上側端部５１１のうちのチューブ５１の開口に隣接した部分に固定又は一体成形されている。基礎部３１は、チューブ５１のうちの、接続部材３とチューブ５１の軸方向同位置の部分Ａ（図３参照）において、チューブ５１の周方向に沿った一部の領域５１１ａを残して、チューブ５１の外周面に固定又は一体成形されている。換言すると、接続部材３とチューブ５１の軸方向同位置の部分Ａにおいて、チューブ５１の外周面は、接続部材３が固定又は一体成形されていない領域５１１ａを含んでいる。チューブ５１がこの領域５１１ａを含むので、チューブ５１に挿入されるオスコネクタ２の挿入部２１の形状等に相応してチューブ５１は変形可能である。故に、例えば、経腸栄養療法用カテーテルと経腸栄養投与セットとの接続部位に高い耐圧性が要求されない、液状物の患者への供給の際、例えば、容器４６（図１参照）から患者までの落差圧を利用して液状物を患者へ供給する際、オスコネクタ２とは形状や寸法が異なる各種のオスコネクタ（例えば、オスコネクタ２の挿入部２１より外径の大きい挿入部を含む他のオスコネクタ）を、回転力を加えながらチューブ５１にねじ込むことにより、経腸栄養療法用カテーテル５と医療用回路４７とを接続できる。オスコネクタ２と異なるコネクタとしては、オスコネクタ２の挿入部２１より外径の大きい挿入部を含む（当該外径の大きさは、チューブ５１の剛性や硬度に応じて異なる。）他のオスコネクタが好ましい。
【００３２】
図８に示されるように、弧状の接続部材３のチューブ５１の外周面に面する面３１ａは、直径Ｄ１の円筒面の一部である。直径Ｄ１は、接続部材３が固定される前のチューブ５１のうちの接続部材３が固定されることとなる部分の外径Ｄ２と等しいかそれよりも小さいと好ましく、小さいとより好ましい。Ｄ１＜Ｄ２であると、圧縮されたチューブ５１によって接続部材３の内周面が押圧されることとなって接続部材３がチューブ５１からはがれにくくなり、好ましい。
【００３３】
以上のとおり、Ｄ１＜Ｄ２の関係が満たされる場合、図７に示されるように、チューブ５１の領域５１１ａは、径方向に突出するので、領域５１１ａにおけるチューブ５１の外周面５１ａを含む円筒面の直径Ｄ３（図７参照）は、Ｄ２（図８参照）よりも大きくなる。
【００３４】
図２〜図６に示された接続部材３は、周方向に２個に分割されているため、領域５１１ａを２箇所含み、しかも、２箇所の領域５１１ａが、中心軸１００に対して対称に配置されているが、接続部材３は複数に分割されておらず、Ｃ文字状であり、領域５１１ａは１箇所のみでもよい。しかし、オスコネクタ２の挿入部２１がチューブ５１に挿入されることによるチューブ５１の変形を周方向に複数個所に分散させてチューブ５１に固定又は一体成形された接続部材３の脱落を抑制する観点から、接続部材３は、周方向に２個以上の複数個に分割されていると好ましく、複数の領域５１１ａは周方向に沿って等間隔に配置されていると好ましい。
【００３５】
直径Ｄ３の円筒面の円周長に対する、領域５１１ａにおけるチューブ５１の外周面５１ａの周長Ｃ１（図３参照）の総和の好ましい比（外周面５１ａの周長Ｃ１の総和／直径Ｄ３の円筒面の円周長）は、チューブ５１の硬さに応じて異なるが、周長Ｃ１の総和が長すぎると、接続部材３によるチューブ５１の周方向の締め付け長さが短くなる。故に、上記比は、専用の医療用回路のオスコネクタとの接続強度と、専用の医療用回路のオスコネクタ以外の各種のオスコネクタとの良好な接続性とが両立されるように設定されると好ましい。
【００３６】
チューブ５１の接続部材３が固定又は一体成形される部分の外周面が、上端に近づくにしたがって大きくなるテーパ面である場合、接続部材３のチューブ５１と接する面も上端に近づくにしたがって大きくなるテーパ面であると好ましく、そのテーパ率は、チューブ５１の接続部材３が固定又は一体成形される部分の外周面のそれと等しいと好ましい。
【００３７】
接続部材３のチューブへの固定方法又は成形方法は、チューブ５１に各種のオスコネクタの挿入部が挿入されてもチューブ５１から接続部材３が脱落しなければ特に制限はなく、例えば、固定方法としては、接着剤及び／又は凹凸嵌合による固定、成形方法としては、２材成形（同時成形）又はインサート成形等が挙げられる。例えば、接着剤を用いる場合、接続部材３のチューブ５１と向かい合う面、およびチューブの接続部材３に向かい合う面の両方に段差を設けて、両者の接触面積を大きくすると好ましい。
【００３８】
接続部材３の材料は、チューブ５１よりも高い剛性と硬度を有する材料であれば特に制限はないが、例えば、ポリエチレン、ポリプロピレン、ポリカーボネート、ポリウレタン、ポリアセタール、ポリ塩化ビニル（ＰＶＣ）、ポリブタジエン（ＰＢＤ）、ＡＢＳ樹脂等を用いることができるが、チューブ５１への接着剤を用いた固定が容易であるという理由から、ポリカーボネート、ＡＢＳ樹脂、ポリ塩化ビニル（ＰＶＣ）、ポリウレタンが好ましい。オスコネクタ２のチューブ５１への接続を、強固なものとし且つ接続を小さい力で行うという観点から、接続部材３の硬度は、第１接続部と等しいかそれより小さく、チューブ５１のそれよりも大きいと好ましい。
【００３９】
図４Ｂに示すように、チューブ５１は、上側部分にオスコネクタ２の挿入部２１を受容可能とする受容部５１２を含む。受容部５１２の内周面は、その内径が上端に近づくにしたがって大きくなるテーパ面であることが好ましい。そして、当該テーパ面のテーパ率は、オスコネクタ２の挿入部２１のそれと等しいと、挿入部２１の外周面は受容部５１２の内周面に密着する。これにより、オスコネクタ２以外のオスコネクタであって、オスコネクタ２の挿入部２１とは外周面の形状や寸法（例えばテーパ角、外径等）等が異なるオスコネクタを挿入した場合であっても、その挿入部の外周面の少なくとも一部と受容部５１２の内周面の少なくとも一部とを密着させることができるので、当該オスコネクタとカテーテル５とを液状物の漏れなく確実に接続できる。
【００４０】
受容部５１２の内周面には、図４Ｂに示すように、周方向に沿った（即ち、中心軸１００と直交する平面と挿入部２１の外周面とによって形成される円に沿った）連続する環状の突起５１３が形成されていることが好ましい。これにより、図６Ｂに示すように、オスコネクタ２を経腸栄養療法用カテーテル５に接続したとき、突起５１３は挿入部２１の外周面に密着して容易に弾性変形する。この変形の程度は、オスコネクタ２の挿入部２１の形状や寸法（例えばテーパ角、外径等）等に応じて変化する。従って、オスコネクタ２の挿入部２１の外周面の形状や寸法等に応じて、挿入部２１の外周面に受容部５１２の内周面の突起５１３を適宜変形させ密着させることができる。環状の突起５１３は、図４Ｂに示すように中心軸１００方向に複数箇所に設けることが好ましい。これにより、オスコネクタ２の挿入部２１の外周面の形状や寸法等がメーカや規格の違いにより異なっても、挿入部２１の形状や寸法等に応じて複数の突起５１３のうちの少なくとも１つを選択的に挿入部２１の外周面に密着させて変形させることができる。但し、１つの環状の突起５１３のみであっても良いことは言うまでもない。
【００４１】
図５〜図６に示されるように、オスコネクタ２の雌ネジ２５と接続部材３の雄ネジ３２とを螺合させると、チューブ５１のうちの、接続部材３と接した部分は接続部材３とオスコネクタ２の挿入部２１に挟まれてその厚み方向に圧縮され、領域５１１ａ（図３参照）はその厚み方向に圧縮されるとともに周方向にも圧縮されるので、オスコネクタ２を経腸栄養療法用カテーテル５とを強固に接続できる。故に、例えば、経腸栄養投与セットのオスコネクタを経腸栄養療法用カテーテルのチューブに単に押し込むことにより、経腸栄養投与セットと経腸栄養療法用カテーテルとを接続する場合よりも、経腸栄養投与セットと経腸栄養療法用カテーテルとを強固に接続でき、且つ、その接続操作も簡単化されている。
【００４２】
よって、本発明の接続構造の上記の一例を採用すれば、経腸栄養療法用カテーテルと経腸栄養投与セットの接続部位について、液状物の漏れ、及び／又は、意図しない接続の解除の発生を抑制できるので、本発明の接続構造の上記の一例は、例えば、高粘度の液状物を患者の体内に送る経腸栄養療法用カテーテルと経腸栄養投与セットの使用の際に、好適に採用される。
【００４３】
また、経腸栄養療法用カテーテルと経腸栄養投与セットの接続を解除したい場合は、雌ネジ２５と雄ネジ３２の螺合を解除すればよいので、チューブ５１に圧入されたオスコネクタをチューブから両者の間に生じる摩擦力に勝る力で引き抜く場合よりも、接続の解除作業が容易に行える。また、チューブ５１に接続されるオスコネクタが、雄ネジ３２と螺合可能な雌ネジ２５を備えたオスコネクタ２である場合は、チューブとの間に生じる摩擦力のみによってチューブとの接続が保持されるオスコネクタよりも、例えばオスコネクタの挿入部の径を小さくすることにより当該摩擦力を小さく設定することもできる。
【００４４】
（実施形態２）
次に、図９〜図１５を用いて、本発明の接続構造の他の形態について説明する。
【００４５】
図９は、本実施形態の経腸栄養療法用カテーテル８と経腸栄養投与セットの接続構造を含む接続部位を説明する斜視図である。図１０は、図９に示した接続部位１１の正面図であり、図１１Ａは、接続部位１１の側面図であり、図１１Ｂは、図１１Ａを矢印Ｘに沿って見た断面図である。図１２は、図９に示した接続部位のオスコネクタ６と接続部材７とが接続された状態を示した斜視図であり、図１３は図１２に示した接続部位の正面図であり、図１４Ａは図１３に示した接続部位の側面図であり、図１４Ｂは図１４Ａを矢印Ｙに沿って見た断面図である。図１５は、図９に示した経腸栄養療法用カテーテル８の上面図である。ただし、図１５においてバンパー５４（図１７参照）は省略している。
【００４６】
図９〜図１４に示すように、本実施形態２の接続構造を含む接続部位１１は、オスコネクタ６とチューブ８１に固定又は一体成形された接続部材７とから構成される。
【００４７】
オスコネクタ６は、実施形態１と同様に、経腸栄養投与セット４（図１参照）の構成部品であり、経腸栄養投与セット４の移送チューブ４１の一方の端部（下側端部）に接続されている。オスコネクタ６の移送チューブ４１への接続方法は、実施形態１におけるオスコネクタ２と同様である。
【００４８】
接続部材７は、チューブ８１に固定又は一体成形されており、チューブ８１から取り外すことはできない。
【００４９】
まず、オスコクネクタ６について説明する。図９〜図１５（特に図９〜図１１参照）に示されるように、オスコネクタ６は、１対の揺動体６２と、１対の揺動体６２同士を連結する架橋部６６と、挿入部６１と、チューブ接続部６４とを含む。これらは、例えば、オスコネクタ６の材料を用いて共通の金型内で同時に成形しかつ一体化させる、いわゆる一体成形により成形できる。
【００５０】
オスコネクタ６のチューブ接続部６４は、実施形態１のオスコネクタ２と同様に、中心軸１０１に沿った貫通穴６０３を有し、全体として略中空円筒形状をしている。貫通穴６０３は、挿入部６１の貫通穴６０２と連通している。また、実施形態１のオスコネクタ２と同様に、チューブ接続部６４に挿入される移送チューブ４１の下側端面が段差面６３１に当接することにより、移送チューブ４１のオスコネクタ６に対する挿入長が制限されている。尚、参照符号１０１は、オスコネクタ６の中心軸であり、これはチューブ８１の投与路の中心軸でもある。説明の便宜のため、本件明細書において、中心軸１０１方向において、投与される液状物の流れの上流側を「上側」、下流側を「下側」と呼ぶ。
【００５１】
各揺動体６２は、チューブ接続部６４および挿入部６１を挟むように、オスコネクタ６の中心軸１０１方向（長手方向）に沿って延在しており、互いに対向して配置されている。各揺動体６２は、その下側端部の挿入部６１と向かい合う面に形成された鉤部６３を第１接続部として含んでいる。１対の揺動体６２は、弾性的に湾曲可能な架橋部６６によって相互に連結されている。よって、１対の揺動体６２のうちの架橋部６６よりも上側部分の各グリップアーム６５に相互に近接させる向きの力を付与すると、架橋部６６が弾性変形する。すなわち、１対のグリップアーム６５が互いに接近するように変異すると、揺動体６２のうちの架橋部６６よりも下側部分６７が互いに離れるように変異し、その後、互いに近接した１対のグリップアーム６５が互いに離れるように変異すると、下側部分６７が互いに接近するように変異する。オスコネクタ６では、架橋部６６のうちの特に、揺動体６２とチューブ接続部６４との間ではない、チューブ接続部６４の両側部６６ａが特に弾性変形する。
【００５２】
オスコネクタ６の材料は、実施形態１のオスコネクタ２の材料と同じでよい。
【００５３】
次に、接続部材７の一例について説明する。図９〜図１５に示されるように、接続部材７は、経腸栄養療法用カテーテル８のチューブ８１の投与路の中心軸１０１方向に沿って見た形状が弧状である。尚、図９〜図１５において、８２は分岐チューブであり、８５は逆止弁である。
【００５４】
接続部材７は、チューブ８の一方の端部（上側端部）８１１よりも径方向に突出した弧状係止突起７１を第２接続部として含む。弧状係止突起７１は、オスコネクタ６の挿入部６１がチューブ８１内に挿入され挿入部６１とチューブ８１との間の液密状態が得られなければオスコネクタ６の鉤部６３と係止できない。また、接続部材７は、弧状係止突起７１の周方向両端部に、下方に向かって突出した規制突起７２を含む。規制突起７２は、弧状係止突起７１に係止された鉤部の周方向の移動を規制する。
【００５５】
弧状係止突起７１は、チューブ８１の上側端部８１１のうちの少なくともチューブ８１の開口に隣接した部分に固定又は一体成形されている。弧状係止突起７１は、チューブ８１のうちの、接続部材７とチューブ８１の軸方向同位置の部分Ｂにおいて、チューブ８１の周方向に沿った一部の領域８１１ａを残して、チューブ８１の外周面に固定又は一体成形されている。換言すると、チューブ８１のうちの接続部材７とチューブ８１の軸方向同位置の部分Ｂにおいて、チューブ８１の外周面は、接続部材７が固定又は一体成形されていない領域８１１ａを含んでいる。チューブ８１がこの領域８１１ａを含むので、チューブ８１の上側部分は、オスコネクタ６の挿入部６１の形状等に相応して変形可能である。故に、例えば、経腸栄養療法用カテーテル８と経腸栄養投与セットとの接続部位１１に高い耐圧性が要求されない、液状物の患者への供給の際、例えば、容器４６（図１参照）から患者までの落差圧を利用して液状物を患者へ供給する際、オスコネクタ６とは形状や寸法が異なる各種のオスコネクタ（例えば、オスコネクタ６の挿入部６１より外径の大きい挿入部を含む他のオスコネクタ）を、回転力を加えながらチューブ８１にねじ込むことにより、経腸栄養療法用カテーテル８と前記他のコネクタを含む医療用回路とを接続できる。オスコネクタ６とは異なる他のコネクタとしては、オスコネクタ６の挿入部６１より外径の大きい挿入部を含むオスコネクタが好ましい。
【００５６】
図１６に示されるように、本実施形態における接続部材７についても、実施形態１における接続部材３と同様、接続部材７のチューブ８１の外周面に面する面７１ａは、直径Ｄ１の円筒面の一部であり、直径Ｄ１は、接続部材７が固定される前のチューブ８１のうちの接続部材７が固定されることとなる部分の外径Ｄ２と等しいかそれよりも小さいと好ましく、小さいとより好ましい。Ｄ１＜Ｄ２であると、圧縮されたチューブ８１によって接続部材７の内周面が押圧されることとなって接続部材７がチューブ８１からはがれにくくなり、好ましい。
【００５７】
以上のとおり、Ｄ１＜２の関係が満たされる場合、図１５に示されるように、チューブ８１の領域８１１ａ（図１０参照）は、径方向に突出するので、領域８１１ａにおけるチューブ８１の外周面８１ａを含む円筒面の直径Ｄ３（図１５参照）は、Ｄ２（図１６参照）より大きくなる。
【００５８】
図９〜図１６に示された接続部材７は、周方向に２個に分割されているため、領域８１１ａを２箇所含み、しかも、２箇所の領域８１１ａが、中心軸１０１に対して対称に配置されているが、実施形態１における接続部材３と同様、接続部材７は、複数に分割されておらず、Ｃ文字状であり、領域８１１ａは１箇所のみでもよいし、周方向に２個以上の複数個に分割されていてもよいし、複数の領域８１１ａは周方向に沿って等間隔に配置されていてもよい。
【００５９】
また、比（外周面８１ａの周長Ｃ１（図１０参照）の総和／直径Ｄ３の円筒面の円周長）も、実施形態１と同様に、専用の医療用回路のオスコネクタとの接続強度と専用の医療用回路のオスコネクタ以外の各種のオスコネクタとの良好な接続性とが両立されるように設定されると好ましい。
【００６０】
チューブ８１の接続部材７が固定又は一体成形される部分の外周面が、上端に近づくにしたがって大きくなるテーパ面である場合、接続部材７のチューブ８１と接する面も上端に近づくにしたがって大きくなるテーパ面であると好ましく、そのテーパ率は、チューブ８１の接続部材７が固定又は一体成形される部分の外周面のそれと等しいと好ましい。
【００６１】
接続部材７のチューブ８１への固定方法又は成形方法も、実施形態１における接続部材３のチューブ５１への固定方法又は成形方法と同じでよい。
【００６２】
接続部材７の材料も、実施形態１における接続部材３の材料と同じでよい。
【００６３】
カテーテル８の接続部材７以外の部分は、従来から公知のカテーテルと同構成であってもよく、チューブ８１の材料も、従来から公知のカテーテル用チューブと同じ材料でよい。
【００６４】
１対のグリップアーム６５を互いに接近するように変異させ、架橋部６６を弾性変形させ、向かい合う一対の鉤部６３を相互に遠ざけた状態で、オスコネクタ６の挿入部６１をチューブ８の内腔内に押し込む。この際、挿入部６１の形状に応じて、チューブ８１のうちの、接続部材７と接した部分は接続部材７とオスコネクタ６の挿入部６１に挟まれてその厚み方向に圧縮される。一方、領域８１１ａはその周方向に伸長する。例えば、挿入部６１の外周面をチューブ８１の内周面に密着させた後、挿入部６１をチューブ８１内にさらに押し込みながら、鉤部６３を弧状係止突起７１（図１２〜図１４参照）に係止させる。１対のグリップアーム６５から手を離すと、チューブ８１の弾性によって挿入部６１は押し込み方向の反対方向に押される。そのため、例えば、挿入部６１をチューブ８１内に押し込みながら１対のグリップアーム６５の上側を互いに接近するように変異させない限り、鉤部６３と弧状係止突起７１との係止は解除されない。故に、例えば、経腸栄養投与セットのオスコネクタを経腸栄養療法用カテーテルのチューブに単にねじ込むことにより、経腸栄養投与セットと経腸栄養療法用カテーテルとを接続する場合よりも、経腸栄養投与セットと経腸栄養療法用カテーテルとを強固に接続できる。また、鉤部６３と弧状係止突起７１とを相互に係止させることにより、オスコネクタ６の挿入体６１がカテーテル８のチューブ８１内に押し付けられた状態が保持されるので、オスコネクタ６の挿入体６１をチューブ８１に押し込むことのみによって医療用回路と経腸栄養療法用カテーテルとを接続する従来の接続構造のオスコネクタよりも、外径が小さい挿入体を含むオスコネクタを使用できる。故に、この接続構造の一例及びカテーテル一例は、医療用回路と経腸栄養療法用カテーテルとの強固な接続及び接続解除が容易に行え、好ましい。
【００６５】
したがって、本実施形態の接続構造を採用すれば、経腸栄養療法用カテーテル８と経腸栄養投与セットの接続部位１１から、液状物が漏れ、及び／又は、意図しない接続の解除の発生を抑制できるので、本実施形態の接続構造は、例えば、高粘度の液状物を患者の体内に送る経腸栄養療法用カテーテルと経腸栄養投与セットの使用の際に、好適に採用できる。
【００６６】
経腸栄養療法用カテーテル８と経腸栄養投与セットの接続を解除したい場合は、挿入部６１をチューブ８１内に押し込みながら鉤部６３と弧状係止突起７１との係止を解除した後、オスコネクタ６の挿入部６１をチューブ８１から引き抜けばよい。また、本実施形態の接続構造を採用すれば、実施形態１の接続構想を採用した場合と同様にチューブとの間に生じる摩擦力のみによってチューブとの接続が保持されるオスコネクタよりも、当該摩擦力を小さく設定することもできる。
【００６７】
（実施形態３）
次に、本発明の接続構造を構成する経腸栄養療法用カテーテル（以下、「カテーテル」と略称する場合もある。）の一例について説明する。
【００６８】
図１７は、図１に示した経腸栄養療法用カテーテル５の拡大斜視図であり、図１８はその断面図である。カテーテル５は、例えば、ＰＥＧカテーテルである。ＰＥＧカテーテルは、患者に留置された後、約１〜６ヶ月間毎に交換される。
【００６９】
図１７及び図１８に示されるように、カテーテル５は、バルーンカテーテルであり、分岐チューブ５２を備えたチューブ５１（カテーテル本体）と、チューブ５１の上側端に固定又は一体成形された接続部材３と、バンパー５４と、チューブ５１の先端付近に設けられたバルーン５３とを含む。分岐チューブ５２の先端には、逆止弁５５が設けられている。チューブ５１は、シリコーンゴム、ウレタン等の柔軟性を有する軟質材料からなる。
【００７０】
図１８に示されるように、チューブ５１は、液状物の投与路として機能する第１ルーメン５６と、バルーンの膨張・収縮用の第２ルーメン５７とを有する。第１ルーメン５６は、チューブ５１の長手方向に沿って形成された貫通路であり、第２ルーメン５７は、その一端がチューブ５１の外周面に開口して、バルーン５３の内部に連通しており、その他端は、分岐チューブ５２に設けられた逆止弁５５によって塞がれている。逆止弁５５から第２ルーメン５７内に液体を供給することによりバルーン５３を膨張させることができる。
【００７１】
チューブ５１の外周面に表示された目盛りは、カテーテル５を操作する医療従事者が、カテーテル５のうちの患者の体内に挿入された部分の長さを確認するためのものである。
【００７２】
バンパー５４は、カテーテル５患者の体内に入り込みすぎることを抑制するストッパーである。バンパー５４は、チューブ５１上を摺動可能であるが、チューブ５１に対する摺動抵抗が大きい材料（例えば、シリコーンゴム、ウレタン等）から形成されている。
【００７３】
次に、図１７および図１８に示した経腸栄養療法用カテーテル５の使用方法と、当該カテーテル５とオスコネクタ２を含む経腸栄養投与セット４（図１参照）との接続方法について説明する。
【００７４】
まず、カテーテル５は、その下側端から、患者に形成された小口（胃ろう）を通って、その下側端部が患者の胃内に挿入される。次いで、例えば、注射器等を用いて第２ルーメン５７に液体を供給してバルーン５３を膨らまる。これにより、カテーテル５が患者の小口から抜けることが防止される。次いで、バルーン５３が粘膜壁に接触するまでカテーテル５を引っぱりバルーン５３で小口をシールし、バンパー５４をチューブ５１上を摺動させる。これにより、カテーテル５が胃内へと深く差し込まれることが防止される。
【００７５】
次に、経腸栄養供給システム４（図１参照）の流量調整器４３(図１参照)により移送チューブ４１が押潰され、移送チューブ４１の流路が閉じられていることを確認してから、容器４６内に液状物を注ぐ。そして、流量調整器４３による移送チューブ４１の押圧を解除して移送チューブ４１内のプライミングを行った後、流量調整器４３で再び移送チューブ４１を押し潰す。次に、チューブ５１内に経腸栄養投与セットを構成するオスコネクタ２の挿入部２１を挿入した後、オスコネクタ２の雌ネジ２５と接続部材３の雄ネジ３２とを螺合させ、当該カテーテル５とオスコネクタ２を含む経腸栄養供給システム４とを接続する。
【００７６】
その後、流量調整器４３による移送チューブ４１の押圧を解除して移送チューブ４１の流路を開くと、容器４６内に充填された液状物が、カテーテル５の第１ルーメン５６を通って患者に供給される(図１参照)。
【００７７】
カテーテル５とオスコネクタ２を含む経腸栄養投与セット４との接続状態を解除するには、上記と逆の操作を行えばよい。具体的には、液状物の患者への供給が終わった後、流量調整器４３により移送チューブ４１流路を閉じてから、オスコネクタ２の雌ネジ２５と接続部材３の雄ネジ３２との螺合を解除する。次いで、挿入部２１をチューブ５１から引き抜き、カテーテル５の上側端部を清潔にした後、接続部材３に、例えば、オスコネクタ２の雌ネジ２と同じ雌ネジを備えたキャップ等を装着する。
【００７８】
また、図１７および図１８に示した経腸栄養療法用カテーテル５は下記のように使用されてもよい。
【００７９】
送液ポンプ（図示せず）等に、図１に示した経腸栄養投与セット４をセットする。そして、医療用回路４７の移送チューブ４１を、流量調整器４３により押潰され、その流路が閉じられた状態にしておく。次に、容器４６内に液状物を注ぐ。次いで、流量調整器４３による移送チューブ４１の押圧を解除して移送チューブ４１内のプライミングを行った後、流量調整器４３で再び移送チューブ４１を押し潰す。次に、チューブ５１内にオスコネクタ２の挿入部２１を挿入した後、オスコネクタ２の雌ネジ２５と接続部材３の雄ネジ３２とを螺合させる。
【００８０】
その後、流量調整器４３による移送チューブ４１の押圧を解除して移送チューブ４１の流路を開き、送液ポンプによる送液を開始すると、容器４６内に充填された液状物が、カテーテル５の第１ルーメン５６を通って患者に供給される。
【００８１】
以上のようにして、オスコネクタの挿入体の外周面とチューブの内周面との摩擦のみならず、雌ネジ等の第１接続部と雄ネジ等の第２接続部との接続によりチューブと挿入体との液密が担保されているので、注入器（シリンジ）や液状物を充填した容器を圧縮するための装置などを用いて例えば高粘度の液状物が患者に供給される場合の、挿入体のチューブからの抜けが抑制される。
【００８２】
以上、図１〜図１８を用いて、本発明の接続構造の一例、および経腸栄養療法用カテーテルの一例について各々説明したが、これらは例示に過ぎず、種々の変更が可能である。
【００８３】
例えば、オスコネクタ２の挿入部２１の外周面に、上側から下側に向かって外径が小さくなるテーパ面（円錐面）が中心軸１００方向に複数個繰り返して配置されたタケノコ形状が形成されていてもよい。
【００８４】
チューブ５１の上側端部５１１の内径及び外径は、上側から下側に向かって各々小さくなっていてもよい。
【００８５】
図１７〜図１８を用いた説明では、経腸栄養療法用カテーテルは、ＰＥＧカテーテルであるが、本発明の経腸栄養療法用カテーテルはこれに限定されず、経鼻カテーテル、ＰＴＥＧカテーテル等の他の経腸栄養療法用カテーテルであってもよい。
【００８６】
本実施形態の経腸栄養療法用カテーテルは、単独で市場に供給されてもよいし、経腸栄養投与セット４又は医療用回路４７をさらに含む医療用送液キットとして提供されてもよい。
【産業上の利用可能性】
【００８７】
本発明は、経腸栄養療法の分野において有用である。
【符号の説明】
【００８８】
１，１１            接続部位
２，６              オスコネクタ
２１，６１          挿入部
２２                環状壁
２５                雌ネジ（第１接続部）
３，７              接続部材
３１                基礎部
３２                雄ネジ（第２接続部）
６３                鉤部（第１接続部）
６２                揺動体
６６                架橋部
７１                弧状係止突起（第２接続部）
７２                規制突起
５，８              経腸栄養療法用カテーテル
５１，８１          チューブ
４                  経腸栄養投与セット
４１                移送チューブ
４７                医療用回路
【図１】
2013212135.tif 000003
【図２】
2013212135.tif 000004
【図３】
2013212135.tif 000005
【図４】
2013212135.tif 000006
【図５】
2013212135.tif 000007
【図６】
2013212135.tif 000008
【図７】
2013212135.tif 000009
【図８】
2013212135.tif 000010
【図９】
2013212135.tif 000011
【図１０】
2013212135.tif 000012
【図１１】
2013212135.tif 000013
【図１２】
2013212135.tif 000014
【図１３】
2013212135.tif 000015
【図１４】
2013212135.tif 000016
【図１５】
2013212135.tif 000017
【図１６】
2013212135.tif 000018
【図１７】
2013212135.tif 000019
【図１８】
2013212135.tif 000020